【手続補正書】
【提出日】令和3年1月12日(2021.1.12)
【手続補正１】
【補正対象書類名】特許請求の範囲
【補正対象項目名】全文
【補正方法】変更
【補正の内容】
【特許請求の範囲】
【請求項１】
底板と、
前記底板の前後の縁部に連設された前後一対の端壁と、
一方の前記端壁の上縁部に連設された頂板と、
左右一対の側壁と、を備え、
前記頂板の縁部には、
他方の前記端壁に貼着されるフラップが連設されており、
他方の前記端壁の上端部には、他方の前記端壁から剥離した前記フラップを係止するための係止片が設けられていることを特徴とする包装箱。
【請求項２】
前記係止片は、他方の前記端壁の外側方または内側方に傾倒することで、前記フラップが差し込まれる差込スペースを形成することを特徴とする請求項１に記載の包装箱。
【請求項３】
底板と、
前記底板の前後の縁部に連設された前後一対の端壁と、
一方の前記端壁の上縁部に連設された頂板と、
左右一対の側壁と、を備え、
前記頂板の左右縁部には、
前記両側壁に貼着される左右一対のフラップが連設されており、
前記両側壁には、前記両側壁から剥離した前記両フラップを係止するための係止手段が設けられており、
前記係止手段は、
前記両フラップの先端部に形成された差込片と、
前記両側壁に形成され前記両差込片が挿入されるスリットとを備えていることを特徴とする包装箱。
【請求項４】
底板と、
前記底板の前後の縁部に連設された前後一対の端壁と、
一方の前記端壁の上縁部に連設された頂板と、
左右一対の側壁と、を備えた包装箱のブランクシートであって、
前記頂板の縁部には、
他方の前記端壁に貼着されるフラップが連設されており、
他方の前記端壁の上端部には、他方の前記端壁から剥離した前記フラップを係止するための係止片が設けられていることを特徴とする包装箱のブランクシート。
【請求項５】
底板と、
前記底板の前後の縁部に連設された前後一対の端壁と、
一方の前記端壁の上縁部に連設された頂板と、
左右一対の側壁と、を備えた包装箱のブランクシートであって、
前記頂板の左右縁部には、
前記両側壁に貼着される左右一対のフラップが連設されており、
前記両側壁には、前記両側壁から剥離した前記両フラップを係止するための係止手段が設けられており、
前記係止手段は、
前記両フラップの先端部に形成された差込片と、
前記両側壁に形成され前記両差込片が挿入されるスリットとを備えていることを特徴とする包装箱のブランクシート。
【請求項６】
底板と、
前記底板の前後の縁部に連設された前後一対の端壁と、
一方の前記端壁の上縁部に連設された頂板と、
左右一対の側壁と、を備えた包装箱のブランクシートであって、
前記頂板の左右縁部には、
前記両側壁に貼着される左右一対のフラップが連設されており、
前記両側壁には、
開梱用の破断線が設けられており、
前記両側壁には、前記両側壁から剥離した前記両フラップを係止するための係止手段が設けられており、
前記係止手段は、
開梱後の前記包装箱の再使用時に差込片として機能する前記両フラップの先端部と、
破断後に前記両フラップの先端部を係止するスリットとして機能する前記破断線とを備えていることを特徴とする包装箱のブランクシート。
【手続補正２】
【補正対象書類名】明細書
【補正対象項目名】０００９
【補正方法】変更
【補正の内容】
【０００９】
前記課題を解決するため、本発明の包装箱は、底板と、前記底板の前後の縁部に連設された前後一対の端壁と、一方の前記端壁の上縁部に連設された頂板と、左右一対の側壁と、を備えている。前記頂板の縁部には、他方の前記端壁に貼着されるフラップが連設されている。他方の前記端壁の上端部には、他方の前記端壁から剥離した前記フラップを係止するための係止片が設けられている。
【手続補正３】
【補正対象書類名】明細書
【補正対象項目名】００１０
【補正方法】変更
【補正の内容】
【００１０】
本発明では、他方の端壁からフラップを引き剥がすことで頂板を開くことができる。その後、開梱した箱を再利用する場合には、頂板を閉じて頂板に連設されているフラップを他方の端壁の係止片に係止する。これにより、頂板が閉じられた状態で保持される。したがって、蓋付きの包装箱として再利用することができる。
【手続補正４】
【補正対象書類名】明細書
【補正対象項目名】００１１
【補正方法】変更
【補正の内容】
【００１１】
また、前記係止片は、他方の前記端壁の外側方または内側方に傾倒することで、前記フラップが差し込まれる差込スペースを形成する。
【手続補正５】
【補正対象書類名】明細書
【補正対象項目名】００１３
【補正方法】変更
【補正の内容】
【００１３】
また、本発明の包装箱は、底板と、前記底板の前後の縁部に連設された前後一対の端壁と、一方の前記端壁の上縁部に連設された頂板と、左右一対の側壁と、を備えている。前記頂板の左右縁部には、前記両側壁に貼着される左右一対のフラップが連設されている。前記両側壁には、前記両側壁から剥離した前記両フラップを係止するための係止手段が設けられている。前記係止手段は、前記両フラップの先端部に形成された差込片と、前記両側壁に形成され前記両差込片が挿入されるスリットとを備えている。
【手続補正６】
【補正対象書類名】明細書
【補正対象項目名】００１４
【補正方法】変更
【補正の内容】
【００１４】
本発明では、両側壁から左右一対のフラップを引き剥がすことで頂板を開くことができる。その後、開梱した箱を再利用する場合には、頂板を閉じて頂板に連設されている左右一対のフラップの差込片を両側壁のスリットに対して係止する。これにより、頂板が閉じられた状態で保持される。したがって、蓋付きの包装箱として再利用することができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、本発明の包装箱のブランクシートは、底板と、前記底板の前後の縁部に連設された前後一対の端壁と、一方の前記端壁の上縁部に連設された頂板と、左右一対の側壁と、を備えている。前記頂板の縁部には、他方の前記端壁に貼着されるフラップが連設されている。他方の前記端壁の上端部には、他方の前記端壁から剥離した前記フラップを係止するための係止片が設けられている。
【手続補正１０】
【補正対象書類名】明細書
【補正対象項目名】００１８
【補正方法】変更
【補正の内容】
【００１８】
本発明では、他方の端壁からフラップを引き剥がすことで頂板を開くことができる。その後、開梱した箱を再利用する場合には、頂板を閉じて頂板に連設されているフラップを他方の端壁の係止片に係止する。これにより、頂板が閉じられた状態で保持される。したがって、蓋付きの包装箱として再利用することができる。
【手続補正１１】
【補正対象書類名】明細書
【補正対象項目名】００１９
【補正方法】変更
【補正の内容】
【００１９】
また、本発明の包装箱のブランクシートは、底板と、前記底板の前後の縁部に連設された前後一対の端壁と、一方の前記端壁の上縁部に連設された頂板と、左右一対の側壁と、を備えている。前記頂板の左右縁部には、前記両側壁に貼着される左右一対のフラップが連設されている。前記両側壁には、前記両側壁から剥離した前記両フラップを係止するための係止手段が設けられている。前記係止手段は、前記両フラップの先端部に形成された差込片と、前記両側壁に形成され前記両差込片が挿入されるスリットとを備えている。
【手続補正１２】
【補正対象書類名】明細書
【補正対象項目名】００２０
【補正方法】変更
【補正の内容】
【００２０】
本発明では、両側壁から左右一対のフラップを引き剥がすことで頂板を開くことができる。その後、開梱した箱を再利用する場合には、頂板を閉じて頂板に連設されている左右一対のフラップの差込片を両側壁のスリットに対して係止する。これにより、頂板が閉じられた状態で保持される。したがって、蓋付きの包装箱として再利用することができる。
【手続補正１３】
【補正対象書類名】明細書
【補正対象項目名】００２１
【補正方法】変更
【補正の内容】
【００２１】
また、本発明の包装箱のブランクシートは、底板と、前記底板の前後の縁部に連設された前後一対の端壁と、一方の前記端壁の上縁部に連設された頂板と、左右一対の側壁と、を備えている。前記頂板の左右縁部には、前記両側壁に貼着される左右一対のフラップが連設されている。前記両側壁には、開梱用の破断線が設けられている。前記両側壁には、前記両側壁から剥離した前記両フラップを係止するための係止手段が設けられている。前記係止手段は、開梱後の前記包装箱の再使用時に差込片として機能する前記両フラップの先端部と、破断後に前記両フラップの先端部を係止するスリットとして機能する前記破断線とを備えている。